(57)【要約】【課題】定期講読紙の配達作業を効率的かつ正確に行える定期講読紙配達管理システムを提供する。【解決手段】購読契約者が指定する配達日の情報を販売店端末１０から専用回線１００を介して購読契約者の情報を管理する管理センター端末２０に送信し、管理センター端末２０において、講読契約者の配達日の情報を管理する。配達管理センター端末２０は、配達員が所有する移動体通信端末装置３０と通信処理を行い、配達員の保持する移動体通信端末装置３０の所在地情報を取得し、購読契約者に関する情報と照合して配達日の指示情報を配達員の保持する移動体通信端末装置３０に送信し、移動体通信端末装置３０の表示部に配達日の指示情報が表示される。配達員は、その配達日の指示情報に従い、講読契約者が指定した配達日に定期講読紙を配達する。【選択図】        図１
2005008315.tif 000002
【特許請求の範囲】
【請求項１】
定期講読紙の配達予定日情報を管理し、該管理する配達予定日情報を取得要求先の移動体通信端末装置に送信する定期講読紙配達管理装置であって、
定期講読紙を配達する配達先の通信端末装置から送信された配達予定日情報を受信し、該受信した配達予定日情報を、前記配達先が配達する特定地域エリア毎に区分して管理する配達予定日情報管理手段と、
前記移動体通信端末装置からの取得要求時に送信される前記移動体通信端末装置の位置情報を受信し、該受信した位置情報に対応する前記特定地域エリアを判別し、該判別した特定地域エリア毎に区分管理する配達予定日情報を前記移動体通信端末装置に送信する配達予定日情報送信手段と、
を有することを特徴とする定期講読紙配達管理装置。
【請求項２】
前記通信端末装置から送信される配達予定日情報は、
前記特定地域エリアを識別するためのエリア識別情報を含んでおり、
前記配達予定日情報管理手段は、
前記配達予定日情報に含まれるエリア識別情報を基に、前記配達予定日情報を、前記特定地域エリア毎に区分して管理することを特徴とする請求項１記載の定期講読紙配達管理装置。
【請求項３】
前記配達予定日情報管理手段は、
前記通信端末装置から送信された前記配達予定日情報の区分管理が完了した際に、前記区分管理された配達予定日情報を前記通信端末装置に送信することを特徴とする請求項１または２記載の定期講読紙配達管理装置。
【請求項４】
前記配達予定日情報送信手段は、
前記移動体通信端末装置の位置情報を受信した際に、該受信した位置情報を前記通信端末装置に送信することを特徴とする請求項１記載の定期講読紙配達管理装置。
【請求項５】
定期講読紙の配達予定日情報を管理する定期講読紙配達管理装置と、前記定期講読紙配達管理装置が管理する配達予定日情報を取得する移動体通信端末装置と、前記配達予定日情報を前記定期講読紙配達管理装置に登録する通信端末装置と、を有して構成される定期講読紙配達管理システムであって、
前記通信端末装置は、
前記配達予定日情報と共に定期講読紙を配達する配達先の特定地域エリアを識別する識別情報を前記定期講読紙配達管理装置に登録する配達予定日情報登録手段を有し、
前記定期講読紙配達管理装置は、
前記通信端末装置により登録された配達予定日情報を、前記配達予定日情報と共に登録された前記識別情報を用いて、前記配達先が配達する配達先の特定地域エリア毎に区分して管理する配達予定日情報管理手段と、
前記移動体通信端末装置から送信される前記移動体通信端末装置の位置情報を受信し、該受信した位置情報に対応する前記特定地域エリアを判別し、該判別した特定地域エリア毎に区分管理する配達予定日情報を前記移動体通信端末装置に送信する配達予定日情報送信手段と、
を有し、
前記移動体通信端末装置は、
前記配達予定日情報を取得するための前記移動体通信端末装置の位置情報を前記定期講読紙配達管理装置に送信し、前記定期講読紙配達管理装置から配達予定日情報を取得する配達予定日情報取得手段を有することを特徴とする定期講読紙配達管理システム。
【請求項６】
前記定期講読紙配達管理装置は、
前記通信端末装置により登録された前記配達予定日情報の区分管理が完了した際に、前記区分管理された配達予定日情報を前記通信端末装置に送信する区分管理情報送信手段を有し、
前記通信端末装置は、
前記定期講読紙配達管理装置から送信された前記区分管理された配達予定日情報を受信し、該受信した配達予定日情報を表示する配達予定日情報表示手段を有することを特徴とする請求項５記載の定期講読紙配達管理システム。
【請求項７】
前記定期講読紙配達管理装置は、
前記移動体通信端末装置の位置情報を受信した際に、該受信した位置情報を前記通信端末装置に送信する位置情報送信手段を有し、
前記通信端末装置は、
前記定期講読紙配達管理装置から送信された前記位置情報を受信し、該受信した位置情報を表示する位置情報表示手段を有することを特徴とする請求項５または６記載の定期講読紙配達管理システム。
【請求項８】
前記移動体通信端末装置は、
前記移動体通信端末装置の位置情報をＧＰＳ機能を用いて取得し、該取得した位置情報を前記定期講読紙配達管理装置に送信することを特徴とする請求項５記載の定期講読紙配達管理システム。
【請求項９】
定期講読紙の配達予定日情報を管理する定期講読紙配達管理装置と通信処理を行い前記配達予定日情報を取得する移動体通信端末装置であって、
ＧＰＳ機能を用いて取得した前記移動体通信端末装置の位置情報を前記定期講読紙配達管理装置に送信する位置情報送信手段と、
前記位置情報送信手段により前記位置情報を送信した前記定期講読紙配達管理装置から前記位置情報に対応する前記配達予定日情報を受信する配達予定日情報受信手段と、
を有することを特徴とする移動体通信端末装置。
【発明の詳細な説明】
【０００１】
【発明の属する技術分野】
本発明は、新聞、雑誌等の定期講読紙の配達を支援する定期講読紙配達管理装置、定期講読紙配達管理システム及びそのシステムに用いられる移動体通信端末装置に関する。
【０００２】
【従来の技術】
新聞販売店が講読契約者から配達要否の連絡を受け付け、その地区の配達を担当する配達員に指示を与える手段は簡易的である。しかしながら、新聞配達先である講読契約者は多数存在することから、配達要否を指定する日付や、その配達要否を指定した講読契約者の情報量が配達員の処理能力を超えた場合に、誤って新聞を配達する誤配の要因になる虞がある。また、配達員の処理能力に個人差があると、誤配が特定の地区で集中的に発生したり、または、誤配が繰り返されて発生したりする虞もあり、新聞販売店側の信用が失墜することとなる。
【０００３】
このようなことから、本発明より先に出願された技術文献として、新聞、雑誌等の定期講読紙の各配達先にそれぞれ設置されるトランスポンダと、配達者が携帯する携帯型端末器と、を有し、携帯型端末器の具備するメモリに、当日の配達に関する情報を書き込み、配達時に、携帯型端末器から送信された呼出し信号にトランスポンダが応答して、各配達先における配達すべき定期講読紙の種類とその部数を表す電磁波を携帯型端末器に送信し、携帯型端末器がその電磁波を受信し、その受信した電磁波の表す内容を文字により携帯型端末器の表示器に表示させることで、定期講読紙の配達作業を効率的かつ正確に行えるようにした技術が開示されている（例えば、特許文献１参照）。
【０００４】
【特許文献１】
特開２００１−１２５９５０号公報
【０００５】
【発明が解決しようとする課題】
しかしながら、上記の特許文献１は、定期講読紙の配達時に、当日の配達に関する情報を携帯型端末器のメモリに書き込まなければならないため、配達作業が効率的とは言えない部分がある。
【０００６】
本発明は、上記事情に鑑みてなされたものであり、定期講読紙の配達作業を効率的かつ正確に行える定期講読紙配達管理装置、定期講読紙配達管理システム及び移動体通信端末装置を提供することを目的とする。
【０００７】
【課題を解決するための手段】
かかる目的を達成するために本発明は以下のような特徴を有する。
請求項１記載の発明は、定期講読紙の配達予定日情報を管理し、該管理する配達予定日情報を取得要求先の移動体通信端末装置に送信する定期講読紙配達管理装置であって、定期講読紙を配達する配達先の通信端末装置から送信された配達予定日情報を受信し、該受信した配達予定日情報を、配達先が配達する特定地域エリア毎に区分して管理する配達予定日情報管理手段と、移動体通信端末装置からの取得要求時に送信される移動体通信端末装置の位置情報を受信し、該受信した位置情報に対応する特定地域エリアを判別し、該判別した特定地域エリア毎に区分管理する配達予定日情報を移動体通信端末装置に送信する配達予定日情報送信手段と、を有することを特徴とする。
【０００８】
請求項２記載の発明は、請求項１記載の定期講読紙配達管理装置において、通信端末装置から送信される配達予定日情報は、特定地域エリアを識別するためのエリア識別情報を含んでおり、配達予定日情報管理手段は、配達予定日情報に含まれるエリア識別情報を基に、配達予定日情報を、特定地域エリア毎に区分して管理することを特徴とする。
【０００９】
請求項３記載の発明は、請求項１または２記載の定期講読紙配達管理装置において、配達予定日情報管理手段は、通信端末装置から送信された配達予定日情報の区分管理が完了した際に、区分管理された配達予定日情報を通信端末装置に送信することを特徴とする。
【００１０】
請求項４記載の発明は、請求項１記載の定期講読紙配達管理装置において、配達予定日情報送信手段は、移動体通信端末装置の位置情報を受信した際に、該受信した位置情報を通信端末装置に送信することを特徴とする。
【００１１】
請求項５記載の発明は、定期講読紙の配達予定日情報を管理する定期講読紙配達管理装置と、定期講読紙配達管理装置が管理する配達予定日情報を取得する移動体通信端末装置と、配達予定日情報を定期講読紙配達管理装置に登録する通信端末装置と、を有して構成される定期講読紙配達管理システムであって、通信端末装置は、配達予定日情報と共に定期講読紙を配達する配達先の特定地域エリアを識別する識別情報を定期講読紙配達管理装置に登録する配達予定日情報登録手段を有し、定期講読紙配達管理装置は、通信端末装置により登録された配達予定日情報を、配達予定日情報と共に登録された識別情報を用いて、配達先が配達する配達先の特定地域エリア毎に区分して管理する配達予定日情報管理手段と、移動体通信端末装置から送信される移動体通信端末装置の位置情報を受信し、該受信した位置情報に対応する特定地域エリアを判別し、該判別した特定地域エリア毎に区分管理する配達予定日情報を移動体通信端末装置に送信する配達予定日情報送信手段と、を有し、移動体通信端末装置は、配達予定日情報を取得するための移動体通信端末装置の位置情報を定期講読紙配達管理装置に送信し、定期講読紙配達管理装置から配達予定日情報を取得する配達予定日情報取得手段を有することを特徴とする。
【００１２】
請求項６記載の発明は、請求項５記載の定期講読紙配達管理システムにおいて、定期講読紙配達管理装置は、通信端末装置により登録された配達予定日情報の区分管理が完了した際に、区分管理された配達予定日情報を通信端末装置に送信する区分管理情報送信手段を有し、通信端末装置は、定期講読紙配達管理装置から送信された区分管理された配達予定日情報を受信し、該受信した配達予定日情報を表示する配達予定日情報表示手段を有することを特徴とする。
【００１３】
請求項７記載の発明は、請求項５または６記載の定期講読紙配達管理システムにおいて、定期講読紙配達管理装置は、移動体通信端末装置の位置情報を受信した際に、該受信した位置情報を通信端末装置に送信する位置情報送信手段を有し、通信端末装置は、定期講読紙配達管理装置から送信された位置情報を受信し、該受信した位置情報を表示する位置情報表示手段を有することを特徴とする。
【００１４】
請求項８記載の発明は、請求項５記載の定期講読紙配達管理システムにおいて、移動体通信端末装置は、移動体通信端末装置の位置情報をＧＰＳ機能を用いて取得し、該取得した位置情報を定期講読紙配達管理装置に送信することを特徴とする。
【００１５】
請求項９記載の発明は、定期講読紙の配達予定日情報を管理する定期講読紙配達管理装置と通信処理を行い配達予定日情報を取得する移動体通信端末装置であって、ＧＰＳ機能を用いて取得した移動体通信端末装置の位置情報を定期講読紙配達管理装置に送信する位置情報送信手段と、位置情報送信手段により位置情報を送信した定期講読紙配達管理装置から位置情報に対応する配達予定日情報を受信する配達予定日情報受信手段と、を有することを特徴とする。
【００１６】
【発明の実施の形態】
（発明の特徴）
まず、図１を参照しながら本発明にかかる定期講読紙配達管理システムについて説明する。
【００１７】
本発明にかかる定期講読紙配達管理システムは、購読契約者が指定する配達日の情報を販売店端末１０から専用回線１００を介して購読契約者の情報を管理する新聞社の配達管理センターの管理センター端末２０に送信し、管理センター端末２０において、講読契約者の配達日の情報を管理する。配達管理センター端末２０は、配達員が所有する移動体通信端末装置３０と通信処理を行い、配達員の保持する移動体通信端末装置３０の所在地情報を取得し、購読契約者に関する情報と照合して配達日の指示情報を配達員の保持する移動体通信端末装置３０に送信し、移動体通信端末装置３０の表示部に配達日の指示情報が表示される。配達員は、その移動体通信端末装置３０の表示部に表示された配達日の指示情報に従い、講読契約者が指定した配達日に新聞等の定期講読紙を配達することとなる。
【００１８】
このように、管理センター端末２０において、講読契約者の配達日の情報を管理し、該管理する配達日の情報を移動体通信端末装置から送信される所在地情報を基に検索照合し、その所在地情報に対応する講読契約者の配達日の指示情報を要求先となる移動体通信端末装置に送信することで、配達作業の効率化を図りつつ正確な配達を行うことが可能となる。
【００１９】
以下、添付図面を参照しながら、本発明にかかる定期講読紙配達管理システムの実施の形態について説明する。
【００２０】
まず、図１を参照しながら、定期講読紙配達管理システムの構成について説明する。
【００２１】
定期講読紙配達管理システムは、販売店端末１０と、管理センター端末２０と、移動体通信端末装置３０と、を有して構成されており、販売店端末１０と管理センター端末２０と、は専用回線１００により接続されており、管理センター端末２０と移動体通信端末装置３０と、は移動体通信ネットワーク２００により接続されている。以下に、定期講読紙配達管理システムを構成する各装置について説明する。
【００２２】
（販売店端末）
販売店端末１０は、パーソナルコンピュータ等の情報処理装置である。販売店端末１０は、専用回線１００を介して管理センター端末２０にアクセスし、管理センター端末２０に蓄積される新聞講読契約者の配達指定日情報を、専用回線１００を介して取得し、その取得した配達指定日情報を販売店端末１０の表示部に表示する。また、販売店端末１０は、配達指定日情報の追加や変更を行い、その配達指定日情報を、専用回線１００を介して管理センター端末２０に送信する。
【００２３】
（管理センター端末）
管理センター端末２０は、ワークステーション、サーバ等の情報処理装置により構成された端末装置である。管理センター端末２０は、販売店端末１０から送信された配達指定日情報を受信し、該受信した配達指定日情報を基に配達予定日情報を生成して蓄積管理する。なお、管理センター端末２０は、この配達予定日情報を販売店側が配達する特定地域エリア毎に区分して管理することとなる。このため、特定地域エリア毎に区分するために、販売店端末１０から送信される配達予定日情報には、特定地域エリアを識別するための識別情報が付与されて送信されることとなる。なお、この識別情報は、特定地域エリア毎に区分して管理できる情報であれば、特に限定しないが、販売店端末１０が管理センター端末２０にアクセスする際に用いられる情報や、後述する講読契約者の住所情報等でもよく特に限定しない。また、配達予定日情報には、講読契約者の情報と、その講読契約者の住所情報と、その講読契約者が指定する配達日を示す情報と、を含んで構成されており、販売店端末１０から送信される配達指定日情報を受信する度に更新されることとなる。なお、この更新処理は、予め設定された時間を経過した際に実行するように設定することも可能である。
【００２４】
また、管理センター端末２０は、配達員が所持する移動体通信端末装置３０が移動体通信ネットワーク２００を介して送信する所在地情報を受信し、その受信した所在地情報を基に、管理センター端末２０に蓄積管理してある配達予定日情報を検索照合し、その検索結果を配達員の担当地区の配達予定日情報として移動体通信ネットワーク２００を介して移動体通信端末装置３０へ送信する。なお、検索照合は、移動体通信端末装置３０から送信される所在地情報に対応する特定地域エリアを判別し、該判別した特定地域エリア毎に区分管理する配達予定日情報が検索結果となる。
【００２５】
（移動体通信端末装置）
移動体通信端末装置３０は、ＧＰＳ（Ｇｌｏｂａｌ  ＰｏｓｉｔｉｏｎｉｎｇＳｙｓｔｅｍ）機能が搭載された携帯型情報処理装置である。移動体通信端末装置３０は、このＧＰＳ機能を用いて移動体通信端末装置３０の所在地情報をＧＰＳ衛星から取得し、その取得した所在地情報を管理センター端末２０に送信する。これにより、移動体通信端末装置３０は、配達員の担当地区の配達予定日情報を管理センター端末２０から受信することとなり、該受信した配達予定日情報を移動体通信端末装置３０の具備する表示部に表示することが可能となる。
【００２６】
次に、図２を参照しながら、定期講読紙配達管理システムの処理動作について説明する。
【００２７】
まず、販売店では、販売店端末１０を用いて、管理センター端末２０にアクセスする（ステップＳ１）。これに応答して、管理センター端末２０は、配達指定日情報を販売店端末１０に送信する（ステップＳ２）。
【００２８】
販売店端末１０は、管理センター端末２０から送信された配達指定日情報を受信し、販売店端末１０の具備する表示部に、図３に示すような配達指定日情報が、表示されることとなる（ステップＳ３）。そして、販売店端末１０の具備する表示部に表示された配達指定日情報を販売店側が参照し、講読契約者の要求する配達指定日を登録することとなる（ステップＳ４）。なお、図３の例では、販売店端末１０を保持する販売店側で配達する講読契約者の４月の配達において２９日と、３０日とでは、配達を必要としないことを指定したものである。
【００２９】
次に、販売店端末１０は、販売店端末１０において登録された配達指定日を、講読契約者の配達指定日情報として専用回線１００を介して管理センター２０に送信する（ステップＳ５）。
【００３０】
管理センター端末２０は、販売店端末１０から送信された配達指定日情報を受信し（ステップＳ６）、該受信した配達指定日情報を基に、管理センター端末２０で管理する配達予定日情報を更新する（ステップＳ７）。そして、管理センター端末２０は、更新処理が完了した配達予定日情報を販売店端末１０に送信する（ステップＳ８）。そして、販売店端末１０は、管理センター端末２０から送信された配達予定日情報を受信し、該受信した配達予定日情報が販売店端末１０の表示部に表示されることとなる（ステップＳ９）。
【００３１】
次に、配達員が所有する移動体通信端末装置３０を用いて、配達員の所在地情報を管理センター端末２０に対して送信する（ステップＳ１０）。そして、管理センター端末２０は、移動体通信端末装置３０が送信した配達員の所在地情報を、移動体ネットワーク２００を介して受信し（ステップＳ１１）、該受信した所在地情報を基に、管理センター端末２０が管理している配達予定日情報を検索照合する（ステップＳ１２）。そして、管理センター端末２０は、所在地情報を基に検索照合により得られた配達予定日情報を移動体通信端末３０に送信する（ステップＳ１３）。
【００３２】
次に、移動体通信端末装置３０は、管理センター端末２０から送信された配達予定日情報を受信し（ステップＳ１４）、移動体通信端末装置３０の具備する表示部に、図４に示すような配達予定日情報が表示されることとなる（ステップＳ１５）。
【００３３】
図４の例では、０１２１と、０１２４と、０１２８と、の講読契約者が４月２９日は、新聞の配達を必要としないことを、配達員に認識させるものであり、この配達予定日情報に基づいて、配達員は講読契約者に新聞を配達することとなる。
【００３４】
このように、本実施の形態における定期講読紙配達管理システムは、新聞販売店が、新聞の講読契約者が指定する配達日の情報を販売店端末１０から専用回線１００を介して、管理センター端末２０に送信する。そして、管理センター端末２０が、販売店側からの配達指定日情報を受信すると、講読契約者の住所や、配達指定日の内容を識別するための配達予定日情報を生成して蓄積管理する。そして、管理センター端末２０は、新聞販売店の配達員が所有する移動体通信端末３０から移動体通信ネットワーク２００を介して配達員の所在地情報を受信することで、該受信した配達員の所在地情報を基に管理センター端末２０に蓄積管理してある配達予定日情報を検索照合して、配達員の担当地区の配達予定日情報を移動体通信端末装置３０に送信することとなる。配達員は、移動体通信端末装置３０に表示される配達予定日情報を基に、購買契約者に対して新聞を配達することとなる。これにより、販売店側は、講読契約者の配達予定日情報をその地区を担当する配達員の移動体通信端末装置に対して効率且つ正確に伝達することが可能となり、複数の配達員に対して配達予定日を指示することの煩わしさから解放されつつも、誤配を防止することが可能となる。
【００３５】
なお、上述する実施の形態は、本発明の好適な実施の形態であり、本発明の要旨を逸脱しない範囲内において種々変更実施が可能である。例えば、図５に示すように、上記実施の形態における定期講読紙配達管理システムにおいて、管理センター端末２０が移動体通信端末装置３０から所在地情報を受信した際に、その受信した所在地情報を販売店端末１０に送信することも可能である。そして、販売店端末１０は、管理センター端末１０から受信した所在地情報を、販売店端末１０の具備する表示部に表示することで、配達員の所在地を把握することが可能となる。
【００３６】
【発明の効果】
以上の説明より明らかなように本発明は以下のような効果を奏する。
本発明にかかる定期講読紙配達管理装置、定期講読紙配達管理システム及び移動体通信端末装置は、定期講読紙配達管理装置で管理する定期講読紙の配達予定日情報を、その定期講読紙を配達する特定地域エリア毎に区分して管理し、移動体通信端末装置から送信される移動体通信端末装置の位置情報を受信した際に、該受信した位置情報に対応する特定地域エリアを判別し、該判別した特定地域エリア毎に区分管理する配達予定日情報を移動体通信端末装置に送信することで、定期講読紙の配達作業を効率的かつ正確に行うことが可能となる。
【図面の簡単な説明】
【図１】本発明にかかる定期講読紙配達管理システムの構成を示す図である。
【図２】本発明にかかる定期講読紙配達管理システムにおける第１の処理動作を示すシーケンスチャートである。
【図３】本発明にかかる定期講読紙配達管理システムを構成する販売店端末の具備する表示部に表示される配達指定日情報の一例を示す図である。
【図４】本発明にかかる定期講読紙配達管理システムを構成する移動体通信端末装置の具備する表示部に表示される配達予定日情報の一例を示す図である。
【図５】本発明にかかる定期講読紙配達管理システムにおける第２の処理動作を示すシーケンスチャートである。
【符号の説明】
１０  販売店端末
２０  管理センター端末
３０  移動体通信端末装置
１００  専用回線
２００  移動体通信ネットワーク
【図１】
2005008315.tif 000003
【図２】
2005008315.tif 000004
【図３】
2005008315.tif 000005
【図４】
2005008315.tif 000006
【図５】
2005008315.tif 000007